(57)【要約】【課題】ユーザーの利用に向かない機能を制限することができるプロジェクター、及びプロジェクターの制御方法等を提供する。【解決手段】プロジェクター１０は、モード設定部１０２と、機器接続コネクター１８と、機器接続コネクター１８を介して携帯情報機器３０から入力された映像信号に基づいて画像表示を行う投写部１４０とを含む。プロジェクター１０は、モード設定部１０２により床置きモードに設定されたとき、機器接続コネクター１８を有するドックコネクター１６が引き出し可能となり、機器接続コネクター１８に携帯情報機器３０の接続が可能な状態にされる。プロジェクター１０は、モード設定部１０２により天吊りモードに設定されたとき、ドックコネクター１６が引き出し不可能となり、機器接続コネクター１８に携帯情報機器３０の接続が不可能な状態にされる。【選択図】図９
2012198397.tif 000002
【特許請求の範囲】
【請求項１】
第１の投写モード又は第２の投写モードを設定するモード設定部と、
出力端子を備える外部機器の接続が可能に構成される外部機器接続部と、
前記外部機器接続部を介して前記外部機器から入力された入力信号に基づいて画像表示を行う投写部とを含み、
前記モード設定部により前記第１の投写モードに設定されたとき、前記外部機器接続部に前記外部機器の接続が可能な状態にされ、
前記モード設定部により前記第２の投写モードに設定されたとき、前記外部機器接続部に前記外部機器の接続が不可能な状態にされることを特徴とするプロジェクター。
【請求項２】
請求項１において、
前記第２の投写モードのとき、前記外部機器接続部がプロジェクター本体内に収納された状態で固定されることを特徴とするプロジェクター。
【請求項３】
請求項１において、
前記第２の投写モードのとき、前記外部機器接続部に、前記外部機器の接続を妨害する妨害部材が設けられることを特徴とするプロジェクター。
【請求項４】
請求項１乃至３のいずれか１項において、
前記外部機器接続部が設けられ、所与の引き出し方向に引き出し可能に構成されるドックコネクターを含み、
前記ドックコネクターは、
前記所与の引き出し方向に引き出された状態で、前記所与の引き出し方向と交差する接続方向から前記外部機器の接続が可能に構成されることを特徴とするプロジェクター。
【請求項５】
請求項１乃至４のいずれか１項において、
前記モード設定部は、
前記プロジェクターの本体の設置状態に対応したモードを設定することを特徴とするプロジェクター。
【請求項６】
請求項１乃至５のいずれか１項において、
前記第１の投写モードは、床置きモードであり、
前記第２の投写モードは、天吊りモードであることを特徴とするプロジェクター。
【請求項７】
第１の投写モード又は第２の投写モードを設定するモード設定部と、
出力端子を備える外部機器の接続が可能に構成される外部機器接続部と、
前記外部機器接続部を介して前記外部機器から入力された入力信号に基づいて画像表示を行う投写部と、を含むプロジェクターの制御方法であって、
前記モード設定部により前記第１の投写モードに設定されたとき、前記外部機器接続部に前記外部機器の接続が可能な状態にし、
前記モード設定部により前記第２の投写モードに設定されたとき、前記外部機器接続部に前記外部機器の接続が不可能な状態にすることを特徴とするプロジェクターの制御方法。
【発明の詳細な説明】
【技術分野】
【０００１】
本発明は、プロジェクター、及びプロジェクターの制御方法等に関する。
【背景技術】
【０００２】
従来より、表示装置としてのプロジェクターは、オフィスでの会議や家庭内での映画等の視聴といった様々な場面で利用されている。このようなプロジェクターは、高い設置性を備え、一般的な床置きの状態のみならず、天井に設置された状態でも利用される。そのため、プロジェクターの本体の設置状態に応じた設置モードを設定することで、プロジェクターは、設置状態に応じた表示を行うことができるようになっている。
【０００３】
このような設置状態に応じた制御の切り替えを行うプロジェクターについて、種々提案されている。例えば特許文献１及び特許文献２には、設置状態に対応した設定が可能な設置モードに応じて制御を切り替えるプロジェクターが開示されている。具体的には、特許文献１には、設置モードとして天吊りモードが設定されたときには、温度制御を切り替えるようにしたプロジェクターが開示されている。特許文献２には、角度センサーを備え、角度センサーにより天吊り設置状態を検出したときに、温度制御を切り替えるようにしたプロジェクターが開示されている。
【先行技術文献】
【特許文献】
【０００４】
【特許文献１】特開２００８−３１０３２号公報
【特許文献２】特開２００９−０４２４４号公報
【発明の概要】
【発明が解決しようとする課題】
【０００５】
ところで、近年、プロジェクターの多機能化が進み、ユーザーにとって、プロジェクターの使い勝手がより一層向上している。特許文献１や特許文献２に開示された技術は、プロジェクター本体の設置状態に基づいて制御を切り替えることによって、どの設置状態であっても同様に利用することができる技術である。しかしプロジェクターの本体の設置状態によっては利用に向かない機能については、ユーザーの利用を制限した方が望ましい場合がある。ところが、プロジェクターの本体の設置状態によっては利用に向かない機能については、特許文献１や特許文献２に開示された技術では、ユーザーの利用を制限することができないという問題がある。このようなユーザーの利用に向かない機能については、例えば、製品マニュアル等での注意書き等でユーザーに告知する方法もあるが、ユーザーが誤って利用してしまう可能性が残る。
【０００６】
本発明は、以上のような技術的課題に鑑みてなされたものである。本発明の幾つかの態様によれば、ユーザーの利用に向かない機能を制限することができるプロジェクター、及びプロジェクターの制御方法等を提供することができる。
【課題を解決するための手段】
【０００７】
（１）本発明の第１の態様は、プロジェクターは、第１の投写モード又は第２の投写モードを設定するモード設定部と、出力端子を備える外部機器の接続が可能に構成される外部機器接続部と、前記外部機器接続部を介して前記外部機器から入力された入力信号に基づいて画像表示を行う投写部とを含み、前記モード設定部により前記第１の投写モードに設定されたとき、前記外部機器接続部に前記外部機器の接続が可能な状態にされ、前記モード設定部により前記第２の投写モードに設定されたとき、前記外部機器接続部に前記外部機器の接続が不可能な状態にされる。
【０００８】
本態様においては、モード設定部により設定される投写モードに応じて、外部機器接続部に外部機器の接続が可能な状態、又は接続が不可能な状態に設定される。これにより、投写モードの設定により、外部機器接続部に接続される外部機器をソースとして用いる場合にユーザーの利用に向かない機能を制限することができるようになる。
【０００９】
（２）本発明の第２の態様に係るプロジェクターは、第１の態様において、前記第２の投写モードのとき、前記外部機器接続部がプロジェクター本体内に収納された状態で固定される。
【００１０】
本態様によれば、第２の投写モードが設定されたとき、外部機器接続部がプロジェクター本体内に収納された状態で固定したので、ユーザーは、外部機器接続部に外部機器を接続することができなくなる。そのため、外部機器接続部に接続される外部機器をソースとして用いることがユーザーの利用に向かない場合に、第２の投写モードとして設定することで、ユーザーの利用に向かない機能を制限することができるようになる。
【００１１】
（３）本発明の第３の態様に係るプロジェクターは、第１の態様において、前記第２の投写モードのとき、前記外部機器接続部に、前記外部機器の接続を妨害する妨害部材が設けられる。
【００１２】
本態様によれば、第２の投写モードが設定されたとき、妨害部材により外部機器接続部への外部機器の接続を妨害するようにしたので、ユーザーは、外部機器接続部に外部機器を接続することができなくなる。そのため、外部機器接続部に接続される外部機器をソースとして用いることがユーザーの利用に向かない場合に、第２の投写モードとして設定することで、ユーザーの利用に向かない機能を制限することができるようになる。
【００１３】
（４）本発明の第４の態様に係るプロジェクターは、第１の態様乃至第３の態様のいずれか１つの態様において、前記外部機器接続部が設けられ、所与の引き出し方向に引き出し可能に構成されるドックコネクターを含み、前記ドックコネクターは、前記所与の引き出し方向に引き出された状態で、前記所与の引き出し方向と交差する接続方向から前記外部機器の接続が可能に構成される。
【００１４】
本態様によれば、上記の効果に加えて、ドックコネクターが収納可能となり、プロジェクターのコンパクト化に寄与できる上に、プロジェクターにより投写される画像を遮ることなく、外部機器の操作面で操作することができるようになる。
【００１５】
（５）本発明の第５の態様に係るプロジェクターでは、第１の態様乃至第４の態様のいずれか１つの態様において、前記モード設定部は、前記プロジェクターの本体の設置状態に対応したモードを設定する。
【００１６】
本態様によれば、プロジェクター本体の設置状態に応じて、外部機器接続部に接続される外部機器を用いる場合にユーザーの利用に向かない機能を制限することができるようになる。
【００１７】
（６）本発明の第６の態様に係るプロジェクターでは、第１の態様乃至第５の態様のいずれか１つの態様において、前記第１の投写モードは、床置きモードであり、前記第２の投写モードは、天吊りモードである。
【００１８】
本態様によれば、プロジェクターが床置き設置されたときに、外部機器接続部に接続される外部機器を用いて画像表示又は音出力を行うことができるようになる。また、プロジェクターが天吊り設置されたときに、外部機器接続部に接続される外部機器を用いる場合にユーザーの利用に向かない機能を制限することができるようになる。例えば、天吊り設置されたときに、外部機器接続部に接続した外部機器が脱落して落下することを防止することができる。
【００１９】
（７）本発明の第７の態様は、第１の投写モード又は第２の投写モードを設定するモード設定部と、出力端子を備える外部機器の接続が可能に構成される外部機器接続部と、前記外部機器接続部を介して前記外部機器から入力された入力信号に基づいて画像表示を行う投写部と、を含むプロジェクターの制御方法が、前記モード設定部により前記第１の投写モードに設定されたとき、前記外部機器接続部に前記外部機器の接続が可能な状態にし、前記モード設定部により前記第２の投写モードに設定されたとき、前記外部機器接続部に前記外部機器の接続が不可能な状態にする。
【００２０】
本態様においては、モード設定部により設定される投写モードに応じて、外部機器接続部に外部機器の接続が可能な状態、又は接続が不可能な状態に設定される。これにより、投写モードの設定により、外部機器接続部に接続される外部機器をソースとして用いる場合にユーザーの利用に向かない機能を制限するプロジェクターの制御方法を提供することができるようになる。
【図面の簡単な説明】
【００２１】
【図１】第１の実施形態におけるプロジェクターの本体の前面側の外観の概略図。
【図２】第１の実施形態におけるプロジェクターの本体の背面側の外観の概略図。
【図３】第１の実施形態におけるプロジェクターのドックコネクターに設けられる機器接続コネクターの概略図。
【図４】図４（Ａ）は、ドックコネクターの収納状態の説明図。図４（Ｂ）は、ドックコネクターの非収納状態の説明図。
【図５】第１の実施形態における機器接続コネクターに携帯情報機器を接続する様子を模式的に示す図。
【図６】第１の実施形態におけるプロジェクターにより構成されるプロジェクターシステムの説明図。
【図７】天吊り設置されたプロジェクターを備えた第１の実施形態におけるプロジェクターシステムの説明図。
【図８】第１の実施形態におけるプロジェクターのドックコネクターに対する制御例の説明図。
【図９】第１の実施形態におけるプロジェクターの構成例の機能ブロック図。
【図１０】図９の信号処理部の構成例の機能ブロック図。
【図１１】ソレノイド制御部の動作例のフロー図。
【図１２】図１２（Ａ）は、ソレノイド制御部により収納状態のドックコネクターがアンロックされた状態の説明図。図１２（Ｂ）は、ソレノイド制御部により収納状態のドックコネクターがロックされた状態の説明図。図１２（Ｃ）は、非収納状態のドックコネクターの説明図。
【図１３】信号処理部におけるモード設定処理の処理例のフロー図。
【図１４】第２の実施形態におけるプロジェクターの構成例の機能ブロック図。
【図１５】第２の実施形態における信号処理部によるカバー部材に関する動作例のフロー図。
【図１６】図１６（Ａ）は、第２の実施形態における機器接続コネクターの構成の概要を示す図。図１６（Ｂ）は、機器接続コネクターを覆うカバー部材の構成の概要を示す図。図１６（Ｃ）は、第２の実施形態においてカバー部材により機器接続コネクターが覆われた状態を模式的に示す図。
【図１７】第３の実施形態におけるプロジェクターの構成例の機能ブロック図。
【図１８】第３の実施形態における信号処理部による妨害部材に関する動作例のフロー図。
【図１９】図１９（Ａ）は、第３の実施形態における妨害部材の収納状態の説明図。図１９（Ｂ）は、第３の実施形態における妨害部材の非収納状態の説明図。
【発明を実施するための形態】
【００２２】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００２３】
〔第１の実施形態〕
図１及び図２に、本発明の第１の実施形態に係るプロジェクターの本体の外観の概略図を示す。図１は、プロジェクターの本体の前面側の外観の概略図を表す。図２は、プロジェクターの本体の背面側の外観の概略図を表す。図２において、図１と同様の部分には同一符号を付し、適宜説明を省略する。
【００２４】
第１の実施形態におけるプロジェクター（広義には、表示装置）１０は、投写レンズ１２と、ズームリング１４とを備えている。本体の前面２０側に設けられた投写レンズ１２により、スクリーンに映像が投写される。この映像のサイズは、ズームリング１４を操作することにより調整される。プロジェクター１０には、外部から映像信号（広義には、入力信号）が入力され、プロジェクター１０は、該映像信号に基づいて映像をスクリーンに投写する。
【００２５】
このプロジェクター１０は、映像ソース（入力ソース）の１つとして、出力端子（又は入出力端子）を備える外部機器としての携帯情報機器（携帯機器、携帯情報端末。広義には、外部機器）からの映像信号等に基づいて映像をスクリーンに投写することができる。そのため、プロジェクター１０は、携帯情報機器の接続が可能に構成され、該携帯情報機器の出力端子を介して、携帯情報機器内に蓄積された映像信号や音声信号（広義には、入力信号）をプロジェクター１０に供給することができるようになっている。プロジェクター１０は、本体に備える操作パネル又はリモコン（図示せず）によるユーザーの操作により、携帯情報機器に蓄積された映像信号や音声信号に基づいて映像を表示したり、音を出力したりする。
【００２６】
このような携帯情報機器は、プロジェクター１０が備える機器接続コネクター（携帯情報機器接続部。広義には、外部機器接続部）に接続される。プロジェクター１０は、本体の背面２２側に、機器接続コネクターが設けられるドックコネクター１６を備えている。ドックコネクター１６は、引き出し可能に構成されており、収納状態のドックコネクター１６を引き出し方向（手前方向）ＤＲに引き出すことで、機器接続コネクターが外部に露出する。
【００２７】
図３に、プロジェクター１０の機器接続コネクターの説明図を示す。図３は、プロジェクター１０のドックコネクター１６に設けられる機器接続コネクターの概略図を表す。
図４（Ａ）、図４（Ｂ）に、ドックコネクター１６の説明図を示す。図４（Ａ）は、ドックコネクター１６の収納状態の説明図を示す。図４（Ｂ）は、ドックコネクター１６の非収納状態の説明図を示す。なお、図４（Ａ）、図４（Ｂ）は、プロジェクター１０におけるドックコネクター１６の構造について上面から見た図を模式的に表している。図４（Ａ）、図４（Ｂ）において図３と同様の部分には同一符号を付し、適宜説明を省略する。
【００２８】
図３に示すように、機器接続コネクター１８は、ドックコネクター１６において上向きに設けられている。ドックコネクター１６は、例えばプロジェクター１０内に設けられた空間、又はプロジェクター１０の底面の下に設けられた空間に収納できるように構成される。このドックコネクター１６が収納状態では、機器接続コネクター１８が外部に露出しないため、機器接続コネクター１８に携帯情報機器３０を接続することができないようになっている。ドックコネクター１６を引き出し方向ＤＲに引き出すことで、機器接続コネクター１８が外部に露出し、機器接続コネクター１８に携帯情報機器３０を接続することができるようになる。
【００２９】
図５に、機器接続コネクターに携帯情報機器を接続する様子を模式的に示す。図５において、図３、図４（Ａ）又は図４（Ｂ）と同様の部分には同一符号を付し、適宜説明を省略する。携帯情報機器３０は、画面３２を備えており、画面３２上にタッチパッドの操作面３４が設けられる。操作者は、画面３２を見ながら操作面３４を操作することで、携帯情報機器３０の各種操作を行う。そのため、携帯情報機器３０は、操作面３４が外側に向くように機器接続コネクター１８に装着される。携帯情報機器３０は、引き出し方向ＤＲと交差する接続方向ＫＲから機器接続コネクター１８に接続（装着）される。携帯情報機器３０は、機器接続コネクター１８への装着状態で、出力端子からプロジェクター１０に映像信号や音声信号の出力が可能になる。
【００３０】
また、携帯情報機器３０は、映像信号等の出力機能の他に、外部機器と通信する機能を有しており、機器接続コネクター１８に接続することによって制御信号線を介した通信も可能に構成される。そのため、プロジェクター１０に携帯情報機器が接続された状態で、操作パネル等により携帯情報機器の各種操作が可能となり、逆に、携帯情報機器３０の操作によりプロジェクター１０の各種操作が可能となる。
【００３１】
図６に、第１の実施形態におけるプロジェクター１０により構成されるプロジェクターシステムの説明図を示す。図６において、図５と同様の部分には同一符号を付し、適宜説明を省略する。プロジェクターシステム（広義には、表示システム）５０は、プロジェクター１０と、プロジェクター１０に接続された携帯情報機器３０とを備えている。プロジェクター１０は、床置き設置された状態で、携帯情報機器３０が図６に示すように接続される。プロジェクター１０は、操作パネルやリモコン４０を操作することによって操作されるが、携帯情報機器３０の操作面３４を操作することによっても操作される。このプロジェクターシステム５０は、機器接続コネクター１８に接続された状態で携帯情報機器３０の画面３２に表示される画像を、プロジェクター１０によってスクリーンＳＣＲに投写することができる。
【００３２】
このプロジェクター１０は、床置き設置や天吊り設置での利用ができる。そのため、図６に示すプロジェクターシステム５０におけるプロジェクター１０は、設置モードとして床置きモード（広義には、第１の投写モード）に設定される。これにより、床置き設置されたプロジェクター１０は、図６に示すように携帯情報機器３０の画面３２に表示される画像をスクリーンＳＣＲに投写することができる。これに対して天吊り設置で利用されるとき、プロジェクター１０は、設置モードとして天吊りモード（広義には、第２の投写モード）が設定される。
【００３３】
図７に、天吊り設置されたプロジェクター１０を備えた第１の実施形態におけるプロジェクターシステムの説明図を示す。天吊り設置されたとき、プロジェクター１０の本体の底面側を天井に固定するため、設置モードとして天吊りモードに設定することで、プロジェクター１０は、映像を１８０度回転させて表示する制御を行う。このように、プロジェクター１０は、設定された設置モードに応じて、表示方法を切り替える制御を行う。
【００３４】
ところで、プロジェクター１０には、図３に示すように機器接続コネクター１８が設けられる。そのため、天吊り設置された状態では、プロジェクター１０の機器接続コネクター１８に対し、携帯情報機器３０を下方向から接続することになり、機器接続コネクター１８の保持力だけで携帯情報機器３０の重量を支えることになる。機器接続コネクター１８の保持力が携帯情報機器３０の重量よりも大きい場合、携帯情報機器３０が保持されるものの、機器接続コネクター１８と携帯情報機器３０の出力端子との間の接触が不十分になりやすくなる。また、振動の影響等によって携帯情報機器３０が落下する可能性がある。一方、機器接続コネクター１８の保持力が携帯情報機器３０の重量よりも小さい場合、携帯情報機器３０は落下してしまう。
【００３５】
このように、天吊り設置された状態では、プロジェクター１０に対して携帯情報機器３０の接続を許可しないことが望ましい上に、誤ってユーザーが携帯情報機器３０を接続しないような対策を講ずることが望ましい。そこで、第１の実施形態では、設置モードとして天吊りモードが設定されたとき、プロジェクター１０は、ドックコネクター１６に設けられる機器接続コネクター１８に携帯情報機器３０の接続が不可能な状態にする。一方、設置モードとして床置きモードが設定されたとき、プロジェクター１０は、ドックコネクター１６に設けられる機器接続コネクター１８に携帯情報機器３０の接続が可能な状態にする。具体的には、設置モードとして天吊りモードが設定されたとき、プロジェクター１０では、ドックコネクター１６が引き出し方向に引き出すことができないようにする。設置モードとして床置きモードが設定されたとき、プロジェクター１０では、ドックコネクター１６が引き出し方向に引き出すことができるようにする。
【００３６】
図８に、第１の実施形態におけるプロジェクター１０のドックコネクター１６に対する制御例の説明図を示す。図８は、図４（Ａ）又は図４（Ｂ）と同様に、プロジェクター１０を上面から見た図を模式的に表している。
【００３７】
プロジェクター１０は、ソレノイド６０と、可動ピン６２とを備えている。可動ピン６２は、ソレノイド６０により移動方向ＴＲに移動可能に構成されている。ドックコネクター１６の例えば側面には、凹部１７が設けられており、可動ピン６２が移動方向ＴＲに突出して凹部１７に差し込まれる。凹部１７に可動ピン６２が差し込まれた状態では、ドックコネクター１６は固定され、ドックコネクター１６はロックされることになる。従って、設置モードとして天吊りモードが設定されたとき、プロジェクター１０は、ソレノイド６０に電流を流して可動ピン６２を移動方向ＴＲに突出させることで、ドックコネクター１６をロックすることができる。また、ソレノイド６０への電流供給が停止されると、可動ピン６２が元の位置に戻る構成を有している。そのため、設置モードとして床置きモードが停止されたとき、プロジェクター１０は、ソレノイド６０への電流供給を停止する制御を行う。なお、可動ピン６２の機能を、ソレノイド６０を構成する鉄心により実現するようにしてもよく、以下では、可動ピン６２がソレノイド６０の鉄心と一体構成をなしているものとして説明する。
【００３８】
図９に、第１の実施形態におけるプロジェクター１０の構成例の機能ブロック図を示す。図９において、図１又は図８と同様の部分には同一符号を付し、適宜説明を省略する。なお、図９では、映像入力端子は、映像信号に同期した音声信号が入力される音声入力端子を適宜含めるものとする。
【００３９】
プロジェクター１０は、上述の機器接続コネクター１８を有するドックコネクター１６と、ソレノイド６０との他に、映像入力端子７０と、ドックコネクター検出部８０とを備えている。また、プロジェクター１０は、信号処理部１００と、操作部１２２と、受信部１２４と、ランダムアクセスメモリー（Random Access Memory：以下、ＲＡＭ）１２６と、読み出し専用メモリー（Read Only Memory：以下、ＲＯＭ）１２８とを備えている。更に、プロジェクター１０は、投写部１４０と、音出力部１６０とを備えている。投写部１４０は、液晶駆動回路１４２と、液晶パネル１４４と、光源１４６と、投写レンズ１２とを備えている。
【００４０】
映像入力端子７０は、１又は複数の端子からなり、１又は複数種類の映像信号又は音声信号が入力される。このような映像入力端子７０は、例えばコンピューター入力端子及び音声入力端子（以下、適宜、コンピューター入力端子等と略す）を含み、コンピューター映像信号及び音声信号、ビデオ機器のコンポーネントビデオ信号が入力される。また、映像入力端子７０は、例えばＳ−ビデオ入力端子やビデオ入力端子及び音声入力端子等、ＨＤＭＩ（High-Definition Multimedia Interface）入力端子、ＵＳＢのタイプＢ端子、ＵＳＢ端子を含む。
【００４１】
ドックコネクター検出部８０は、ドックコネクター１６が収納状態であるか否かを検出する。例えば、ドックコネクター検出部８０は、ドックコネクター１６が収納状態で押下され、非収納状態で解放されるスイッチ素子を含み、該スイッチ素子の押下状態に基づいてドックコネクター１６が収納状態であるか否かを検出する。ドックコネクター検出部８０の検出結果は、信号処理部１００に対して出力される。
【００４２】
操作部１２２は、例えば操作パネルにより構成され、ユーザーの操作を受け付け、ユーザーの操作に対応した操作情報を信号処理部１００に対して出力する。受信部１２４は、リモコン４０によるユーザーの操作に対応した操作情報の受信処理を行い、受信処理後の操作情報を信号処理部１００に対して出力する。
【００４３】
信号処理部１００は、操作部１２２又は受信部１２４からの操作情報に基づいて、機器接続コネクター１８、及び映像入力端子７０のいずれか１つからの映像信号に切り替える制御を行う。そして、信号処理部１００は、切り替えられた機器接続コネクター１８又は映像入力端子７０からの映像信号に対して所与の信号処理を行い、信号処理後の映像信号を投写部１４０に出力する。同様に、信号処理部１００は、機器接続コネクター１８、及び映像入力端子７０のいずれか１つからの音声信号に対して、上記の映像信号に同期させて音出力部１６０に出力する。信号処理部１００が行う信号処理としては、リサイズ処理、画質調整処理及びＯＳＤ（On Screen Display）メニュー生成処理等がある。
【００４４】
また、信号処理部１００は、設置モードの設定を行い、該設置モードが天吊りモードに設定されたとき、ドックコネクター１６を固定する制御を行い、プロジェクター１０が天吊り設置された状態で、ドックコネクター１６を引き出せないようにする。更に、信号処理部１００は、ドックコネクター検出部８０によってドックコネクター１６の非収納状態（収納されていない状態）が検出されたとき、設置モードの変更を禁止する制御を行う。具体的には、ドックコネクター検出部８０によってドックコネクター１６の非収納状態が検出されたとき、信号処理部１００は、設置モードとして天吊りモードへの変更を禁止する制御を行う。
【００４５】
このような信号処理部１００は、中央演算処理装置（Central Processing Unit：以下、以下、ＣＰＵ）を備えており、上記の信号処理等の一部又は全部をソフトウェア処理で実現する。このとき、信号処理部１００が有するＣＰＵは、ＲＯＭ１２８に予め記憶されたプログラムを読み出し、ＲＡＭ１２６を作業エリアとしながら、該プログラムに対応した処理を実行することで、上記の信号処理等の一部又は全部を実現する。
【００４６】
投写部１４０では、液晶駆動回路１４２が、信号処理部１００による信号処理後の映像信号に基づいて液晶パネル１４４を駆動する。液晶パネル１４４には、光源１４６からの光が照射されており、投写部１４０は、液晶パネル１４４によって変調された変調光を用いて、投写レンズ１２によりスクリーンに投写する。
【００４７】
音出力部１６０は、例えば図２に示すプロジェクター１０の本体の背面２２側に配置される。これにより、携帯情報機器３０が機器接続コネクター１８に接続された状態で、携帯情報機器３０の操作面３４を操作しながら、投写レンズ１２により投写される映像を遮ることなく、音出力を行うことができる。
【００４８】
図１０に、図９の信号処理部の構成例の機能ブロック図を示す。図１０において、図９と同様の部分には同一符号を付し、適宜説明を省略する。信号処理部１００は、モード設定部１０２と、ＯＳＤメニュー生成部１０４と、画像処理部１０６と、ソレノイド制御部１０８とを備えている。モード設定部１０２は、操作部１２２又は受信部１２４からの操作情報に基づいて、プロジェクター１０の設置モード（広義には、投写モード）を設定する。第１の実施形態では、モード設定部１０２が、床置きモード又は天吊りモードを設定するものとする。このようなモード設定部１０２における設定結果は、画像処理部１０６に通知され、設置モードに応じた画像処理等が行われる。
【００４９】
ＯＳＤメニュー生成部１０４は、ＯＳＤメニューを表示するためのＯＳＤメニュー画像（例えば、設置モード設定メニュー画像）を生成する。このＯＳＤメニュー生成部１０４は、操作部１２２又は受信部１２４からの操作情報を適宜反映させてＯＳＤメニュー画像を生成する。
【００５０】
画像処理部１０６は、操作部１２２又は受信部１２４からの操作情報に基づいて、機器接続コネクター１８、及び映像入力端子７０のいずれか１つの映像信号等に切り替える。そして、画像処理部１０６は、切り替えられた映像入力端子からの映像信号に対して所与の信号処理を行い、信号処理後の映像信号を投写部１４０に出力し、該映像信号に同期した音声信号を音出力部１６０に出力する。
【００５１】
画像処理部１０６は、モード設定部１０２により床置きモード（第１の投写モード）が設定されたとき、機器接続コネクター１８及び映像入力端子７０のいずれかを介して入力された映像信号を投写部１４０に出力する。また、画像処理部１０６は、モード設定部１０２により床置きモードが設定されたとき、機器接続コネクター１８及び映像入力端子７０のいずれかを介して入力された音声信号を音出力部１６０に出力する。
【００５２】
一方、画像処理部１０６は、モード設定部１０２により天吊りモード（第２の投写モード）が設定されたとき、映像入力端子７０を介して入力された映像信号を投写部１４０に出力する。このとき、画像処理部１０６は、映像を１８０度回転させた映像信号を投写部１４０に出力する。また、画像処理部１０６は、モード設定部１０２により天吊りモードが設定されたとき、映像入力端子７０を介して入力された音声信号を音出力部１６０に出力する。
【００５３】
ソレノイド制御部１０８は、モード設定部１０２により設定された設置モードに応じて、ソレノイド６０への電流供給を制御する。
【００５４】
図１１に、ソレノイド制御部１０８の動作例のフロー図を示す。ソレノイド制御部１０８は、モード設定部１０２により設定された設置モードが天吊りモードであるか否かを判定する（ステップＳ１０）。天吊りモードが設定されたとき（ステップＳ１０：Ｙ）、ソレノイド制御部１０８は、ソレノイド６０に電流を流して上述のようにドックコネクター１６を固定する制御を行い（ステップＳ１２）、一連の処理を終了する（エンド）。ステップＳ１０において天吊りモードが設定されなかったとき（ステップＳ１０：Ｎ）、ソレノイド制御部１０８は、モード設定部１０２によって床置きモードが設定されたと判断する。そして、ソレノイド制御部１０８は、ソレノイド６０への電流供給を停止して、ドックコネクター１６のロックを解除した状態に設定する制御を行い（ステップＳ１４）、一連の処理を終了する（エンド）。
【００５５】
なお、図１０において、モード設定部１０２、ＯＳＤメニュー生成部１０４、及びソレノイド制御部１０８の機能は、例えばソフトウェア処理により実現することができる。画像処理部１０６の機能は、例えば画像処理回路等のハードウェアにより実現することができる。
【００５６】
図１２（Ａ）、図１２（Ｂ）、及び図１２（Ｃ）に、ソレノイド制御部１０８の制御によるドックコネクター１６の状態の説明図を示す。図１２（Ａ）〜図１２（Ｃ）は、図８と同様に、プロジェクター１０におけるドックコネクター１６の構造について上面から見た図を模式的に表している。なお、図１２（Ａ）〜図１２（Ｃ）において、図８と同様の部分には同一符号を付し、適宜説明を省略する。
【００５７】
設置モードとして床置きモードが設定されているとき、ドックコネクター１６が収納状態であっても、ソレノイド制御部１０８は、図１２（Ａ）に示すようにドックコネクター１６をロックしない。そのため、ドックコネクター１６が引き出し可能な状態にされる。従って、ユーザーは、図１２（Ｃ）に示すようにドックコネクター１６を引き出し、機器接続コネクター１８に携帯情報機器３０を接続することができる。これにより、プロジェクター１０は、機器接続コネクター１８を介して接続される携帯情報機器３０からの映像信号等に基づいて、画像表示又は音出力を行うことができる。
【００５８】
これに対して、設置モードとして天吊りモードが設定されているとき、ソレノイド制御部１０８は、図１２（Ｂ）に示すようにドックコネクター１６をロックする。そのため、ドックコネクター１６が引き出し不可能な状態にされる。従って、ユーザーは、ドックコネクター１６を引き出すことができず、機器接続コネクター１８に携帯情報機器３０を接続することができない。これにより、プロジェクター１０は、機器接続コネクター１８を介して接続される携帯情報機器３０からの映像信号等に基づく画像表示等を行うことができない。
【００５９】
また、第１の実施形態では、ドックコネクター１６を使用中には、設置モードが切り替わらないように制御する。具体的には、プロジェクター１０は、ドックコネクター検出部８０により、ドックコネクター１６が引き出し方向に引き出されて非収納状態であることが検出されたとき、モード設定部１０２による天吊りモードへの切り替えを禁止又は無効化する。こうすることで、機器接続コネクター１８の接続状態と設置モードとの矛盾が起こらないようにする。
【００６０】
図１３に、信号処理部１００におけるモード設定処理の処理例のフロー図を示す。図１３は、ユーザーの操作情報に基づいてモード設定操作が行われたときの処理例を表す。なお、図１３では、設置モードが、床置きモードと天吊りモードの２種類であるものとして説明する。
【００６１】
ユーザーにより所定のモード設定操作が行われると、ドックコネクター検出部８０は、ドックコネクター１６が収納状態であるか否かを判定する（ステップＳ２０）。ドックコネクター１６が収納状態であるとき（ステップＳ２０：Ｙ）、ＯＳＤメニュー生成部１０４は、設置モード設定メニュー画像を生成し、投写部１４０により設置モード設定メニュー画像を表示させる（ステップＳ２２）。
【００６２】
次に、モード設定部１０２は、操作部１２２又は受信部１２４からのユーザーの操作情報に基づいて、設置モードとして床置きモードが指定（設定）されたか否かを判定する（ステップＳ２４）。設置モードとして床置きモードが指定されたとき（ステップＳ２４：Ｙ）、モード設定部１０２は、設置モードとして床置きモードに設定する（ステップＳ２６）。その後、信号処理部１００は、一連の処理を終了する（エンド）。
【００６３】
ステップＳ２４において設置モードして床置きモードが指定されなかったとき（ステップＳ２４：Ｎ）、モード設定部１０２は、ユーザーの操作情報に基づいて、設置モードとして天吊りモードが指定（設定）されたか否かを判定する（ステップＳ２８）。設置モードとして天吊りモードが指定されたとき（ステップＳ２８：Ｙ）、モード設定部１０２は、設置モードとして天吊りモードに設定する（ステップＳ３０）。その後、信号処理部１００は、一連の処理を終了する（エンド）。
【００６４】
また、ステップＳ２０において、ドックコネクター１６が収納状態でないとき（ステップＳ２０：Ｎ）、信号処理部１００は、一連の処理を終了する（エンド）。更に、ステップＳ２８において、天吊りモードが指定されなかったとき（ステップＳ２８：Ｎ）、信号処理部１００は、一連の処理を終了する（エンド）。
【００６５】
以上のように、ドックコネクター１６が収納状態であるか、非収納状態であるかを検出し、ドックコネクター１６が非収納状態のときに設置モードの設定画像を表示しないようにしている。これにより、ドックコネクター１６を引き出して非収納状態としているときにユーザーが、設置モードを天吊りモードに切り替えてしまう事態を回避することができるようになる。
【００６６】
以上説明したように、第１の実施形態によれば、設置モードとして天吊りモードが設定されているとき、機器接続コネクター１８に携帯情報機器３０への接続をできないようにしたので、携帯情報機器３０が脱落する事故を未然に防ぐことができる。更に、天吊り設置された状態のプロジェクター１０に携帯情報機器３０を接続できない仕様をわかりやすく提示することができるようになる。
【００６７】
〔第２の実施形態〕
第１の実施形態では、機器接続コネクター１８が設けられたドックコネクター１６を収納状態でロックすることで、ユーザーが機器接続コネクター１８を使用できないようにしていたが、本発明に係る実施形態はこれに限定されるものではない。本発明に係る第２の実施形態では、機器接続コネクター１８をカバー部材で覆うことで、ユーザーが機器接続コネクター１８を使用できないようにする。このような第２の実施形態におけるプロジェクターの外観は、第１の実施形態と同様とすることができる。
【００６８】
図１４に、第２の実施形態におけるプロジェクターの構成例の機能ブロック図を示す。図１４において、図９と同様の部分には同一符号を付し、適宜説明を省略する。第２の実施形態におけるプロジェクター１０ａは、機器接続コネクター１８を有するドックコネクター１６と、カバー部材２００と、カバー部材開閉機構部２０２と、映像入力端子７０とを備えている。また、プロジェクター１０ａは、信号処理部１００ａと、操作部１２２と、受信部１２４と、ＲＡＭ１２６と、ＲＯＭ１２８ａと、投写部１４０と、音出力部１６０とを備えている。第２の実施形態におけるプロジェクター１０ａが第１の実施形態におけるプロジェクター１０と異なる点は、ドックコネクター１６のロック制御を行わず、機器接続コネクター１８を覆うカバー部材２００を設け、カバー部材２００の開閉動作又は閉状態のロックをできるようにした点である。
【００６９】
カバー部材２００は、機器接続コネクター１８を覆うための部材である。カバー部材開閉機構部２０２は、カバー部材２００による開閉動作を行う。例えば、カバー部材開閉機構部２０２は、信号処理部１００ａからの制御により、カバー部材２００の開閉動作又はカバー部材２００の閉状態のロックを行う。
【００７０】
信号処理部１００ａは、信号処理部１００と同様に、操作部１２２又は受信部１２４からの操作情報に基づいて、機器接続コネクター１８、及び映像入力端子７０のいずれか１つからの映像信号に切り替える制御を行う。そして、信号処理部１００ａは、切り替えられた機器接続コネクター１８又は映像入力端子７０からの映像信号に対して所与の信号処理を行い、信号処理後の映像信号を投写部１４０に出力する。同様に、信号処理部１００ａは、機器接続コネクター１８、及び映像入力端子７０のいずれか１つからの音声信号に対して、上記の映像信号に同期させて音出力部１６０に出力する。信号処理部１００ａが行う信号処理としては、リサイズ処理、画質調整処理及びＯＳＤメニュー生成処理等がある。
【００７１】
また、信号処理部１００ａは、設置モードの設定を行い、該設置モードが天吊りモードに設定されたとき、カバー部材開閉機構部２０２によりカバー部材２００で機器接続コネクター１８を覆う制御を行う。具体的には、例えば信号処理部１００ａは、カバー部材開閉機構部２０２によりカバー部材２００を機器接続コネクター１８の上部に移動する制御、又は機器接続コネクター１８を覆った状態のカバー部材２００を固定する制御を行う。これにより、プロジェクター１０ｂが天吊り設置された状態で、機器接続コネクター１８を使用できないようにする。また、信号処理部１００ａは、設置モードが床置きモードに設定されたとき、カバー部材開閉機構部２０２によりカバー部材２００を機器接続コネクター１８の上部を開ける制御、又は機器接続コネクター１８を覆った状態のカバー部材２００の固定を解除する制御を行う。
【００７２】
このような信号処理部１００ａは、ＣＰＵを備えており、上記の信号処理等の一部又は全部をソフトウェア処理で実現する。このとき、信号処理部１００ａが有するＣＰＵは、ＲＯＭ１２８ａに予め記憶されたプログラムを読み出し、ＲＡＭ１２６を作業エリアとしながら、該プログラムに対応した処理を実行することで、上記の信号処理等の一部又は全部を実現する。
【００７３】
図１５に、信号処理部１００ａによるカバー部材２００に関する動作例のフロー図を示す。信号処理部１００ａは、モード設定部により設定された設置モードが天吊りモードであるか否かを判定する（ステップＳ４０）。天吊りモードが設定されたとき（ステップＳ４０：Ｙ）、信号処理部１００ａは、カバー部材開閉機構部２０２によりカバー部材２００を機器接続コネクター１８の上部に移動する制御、又は機器接続コネクター１８を覆った状態のカバー部材２００を固定する制御を行う（ステップＳ４２）。その後、信号処理部１００ａは、一連の処理を終了する（エンド）。ステップＳ４０において天吊りモードが設定されなかったとき（ステップＳ４０：Ｎ）、信号処理部１００ａは、モード設定部によって床置きモードが設定されたと判断する。そして、信号処理部１００ａは、カバー部材開閉機構部２０２によりカバー部材２００を機器接続コネクター１８の上部を開ける制御、又は機器接続コネクター１８を覆った状態のカバー部材２００の固定を解除する制御を行う（ステップＳ４４）。ステップＳ４４では、機器接続コネクター１８を露出、又は露出可能な状態にされる。その後、信号処理部１００ａは、一連の処理を終了する（エンド）。
【００７４】
図１６（Ａ）、図１６（Ｂ）、図１６（Ｃ）に、第２の実施形態の動作説明図を示す。図１６（Ａ）は、第２の実施形態における機器接続コネクター１８の構成の概要を表す。図１６（Ｂ）は、機器接続コネクター１８を覆うカバー部材２００の構成の概要を表す。図１６（Ｃ）は、第２の実施形態においてカバー部材２００により機器接続コネクター１８が覆われた状態を模式的に表す。図１６（Ａ）〜図１６（Ｃ）は、機器接続コネクター１８の外観の構成の斜視図を表しており、図１４と同様の部分には同一符号を付している。
【００７５】
機器接続コネクター１８は、例えば図１６（Ａ）に示すように、ドックコネクター１６に形成され上面が開口された凹部の底面に設けられる。カバー部材２００は、図１６（Ｂ）に示すようにスライドされて、凹部の上面を覆うことで、機器接続コネクター１８を使用できない状態にする（図１６（Ｃ））。
【００７６】
以上説明したように、第２の実施形態によれば、第１の実施形態と同様に、設置モードとして天吊りモードが設定されているとき、機器接続コネクター１８に携帯情報機器３０への接続をできないようにしたので、携帯情報機器３０が脱落する事故を未然に防ぐことができる。更に、天吊り設置された状態のプロジェクター１０に携帯情報機器３０を接続できない仕様をわかりやすく提示することができるようになる。
【００７７】
〔第３の実施形態〕
第１の実施形態では、機器接続コネクター１８が設けられたドックコネクター１６を収納状態でロックすることで、ユーザーが機器接続コネクター１８を使用できないようにしていたが、本発明に係る実施形態はこれに限定されるものではない。本発明に係る第３の実施形態では、機器接続コネクター１８（又は機器接続コネクター１８の近傍）に妨害部材を設けることで、ユーザーが機器接続コネクター１８を使用できないようにする。このような第３の実施形態におけるプロジェクターの外観は、第１の実施形態と同様とすることができる。
【００７８】
図１７に、第３の実施形態におけるプロジェクターの構成例の機能ブロック図を示す。図１７において、図９と同様の部分には同一符号を付し、適宜説明を省略する。第３の実施形態におけるプロジェクター１０ｂは、機器接続コネクター１８を有するドックコネクター１６と、妨害部材２５０と、ソレノイド２５２と、映像入力端子７０とを備えている。また、プロジェクター１０ｂは、信号処理部１００ｂと、操作部１２２と、受信部１２４と、ＲＡＭ１２６と、ＲＯＭ１２８ｂと、投写部１４０と、音出力部１６０とを備えている。第３の実施形態におけるプロジェクター１０ｂが第１の実施形態におけるプロジェクター１０と異なる点は、ドックコネクター１６のロック制御を行わず、設置モードに応じて機器接続コネクター１８の近傍に妨害部材２５０を設けるようにした点である。
【００７９】
妨害部材２５０は、携帯情報機器３０を接続できなくなる機器接続コネクター１８の近傍に設けることができるようになっている。機器接続コネクター１８に妨害部材２５０が設けられたとき、携帯情報機器３０を接続できなくなる。このような妨害部材２５０の機能は、例えば第１の実施形態と同様の可動ピン又はソレノイドを構成する鉄心により実現される。ソレノイド２５２は、妨害部材２５０を機器接続コネクター１８の近傍に設けたり、妨害部材２５０を収納したりする。このようなソレノイド２５２は、例えば信号処理部１００ｂからの制御により、妨害部材２５０を収納状態又は非収納状態にする。
【００８０】
信号処理部１００ｂは、信号処理部１００と同様に、操作部１２２又は受信部１２４からの操作情報に基づいて、機器接続コネクター１８、及び映像入力端子７０のいずれか１つからの映像信号に切り替える制御を行う。そして、信号処理部１００ｂは、切り替えられた機器接続コネクター１８又は映像入力端子７０からの映像信号に対して所与の信号処理を行い、信号処理後の映像信号を投写部１４０に出力する。同様に、信号処理部１００ｂは、機器接続コネクター１８、及び映像入力端子７０のいずれか１つからの音声信号に対して、上記の映像信号に同期させて音出力部１６０に出力する。信号処理部１００ｂが行う信号処理としては、リサイズ処理、画質調整処理及びＯＳＤメニュー生成処理等がある。
【００８１】
また、信号処理部１００ｂは、設置モードの設定を行い、該設置モードが天吊りモードに設定されたとき、ソレノイド２５２により妨害部材２５０を非収納状態にすることで、機器接続コネクター１８の近傍に妨害部材２５０を設けるように制御する。これにより、プロジェクター１０ｂが天吊り設置された状態で、機器接続コネクター１８を使用できないようにする。また、信号処理部１００ｂは、設置モードが床置きモードに設定されたとき、ソレノイド２５２により妨害部材２５０を収納状態にする制御を行う。
【００８２】
このような信号処理部１００ｂは、ＣＰＵを備えており、上記の信号処理等の一部又は全部をソフトウェア処理で実現する。このとき、信号処理部１００ｂが有するＣＰＵは、ＲＯＭ１２８ｂに予め記憶されたプログラムを読み出し、ＲＡＭ１２６を作業エリアとしながら、該プログラムに対応した処理を実行することで、上記の信号処理等の一部又は全部を実現する。
【００８３】
図１８に、信号処理部１００ｂによる妨害部材２５０に関する動作例のフロー図を示す。信号処理部１００ｂは、モード設定部により設定された設置モードが天吊りモードであるか否かを判定する（ステップＳ５０）。天吊りモードが設定されたとき（ステップＳ５０：Ｙ）、信号処理部１００ｂは、ソレノイド２５２により妨害部材２５０を非収納状態にして、機器接続コネクター１８の近傍に妨害部材２５０を設ける制御を行う（ステップＳ５２）。その後、信号処理部１００ｂは、一連の処理を終了する（エンド）。ステップＳ５０において天吊りモードが設定されなかったとき（ステップＳ５０：Ｎ）、信号処理部１００ｂは、モード設定部によって床置きモードが設定されたと判断する。そして、信号処理部１００ｂは、ソレノイド２５２により妨害部材２５０を収納する制御を行い（ステップＳ５４）、一連の処理を終了する（エンド）。
【００８４】
図１９（Ａ）、図１９（Ｂ）に、第３の実施形態の動作説明図を示す。図１９（Ａ）は、第３の実施形態における妨害部材２５０の収納状態の説明図を表す。図１９（Ｂ）は、第３の実施形態における妨害部材２５０の非収納状態の説明図を表す。
【００８５】
機器接続コネクター１８の近傍には、例えば図１９（Ａ）に示すように、ソレノイド２５２により収納が可能に構成される妨害部材２５０が設けられる。このとき、機器接続コネクター１８には携帯情報機器３０の出力端子を接続することができる。これに対して、ソレノイド２５２により妨害部材２５０が非収納状態にされたとき、図１９（Ｂ）に示すように、機器接続コネクター１８の近傍に妨害部材２５０が設けられる。これにより、機器接続コネクター１８には携帯情報機器３０の出力端子を接続することができない状態にされる。
【００８６】
以上説明したように、第３の実施形態によれば、第１の実施形態と同様に、設置モードとして天吊りモードが設定されているとき、機器接続コネクター１８に携帯情報機器３０への接続をできないようにしたので、携帯情報機器３０が脱落する事故を未然に防ぐことができる。更に、天吊り設置された状態のプロジェクター１０に携帯情報機器３０を接続できない仕様をわかりやすく提示することができるようになる。
【００８７】
以上、本発明に係るプロジェクター、及びプロジェクターの制御方法等を上記のいずれかの実施形態に基づいて説明したが、本発明は上記のいずれかの実施形態に限定されるものではない。例えば、その要旨を逸脱しない範囲において種々の態様において実施することが可能であり、次のような変形も可能である。
【００８８】
（１）第１の実施形態では、ドックコネクター検出部８０が、収納状況に応じて押下されるスイッチ素子によりドックコネクター１６の収納状態を検出するものとして説明したが、本発明はこれに限定されるものではない。ドックコネクター検出部８０は、例えばセンサーにより構成され、ドックコネクター１６の収納状態をセンサーにより検出するようにしてもよい。このようなドックコネクター検出部８０は、ドックコネクター１６の収納状態と非収納状態とで、出力が変化するものであればよい。
【００８９】
（２）上記のいずれかの実施形態では、プロジェクターとして液晶プロジェクターを例に説明したが、透過型の液晶パネルや反射型の液晶パネルを用いたプロジェクター等の表示装置を採用することができる。また、本発明に係るプロジェクターは、例えば、デジタルマイクロミラーデバイスを用いたプロジェクター等であってもよい。
【００９０】
（３）上記のいずれかの実施形態では、本発明に係る投写モードとして設置モードを例に説明したが、本発明はこれに限定されるものではない。プロジェクターの設置状態にかかわらず、例えばプロジェクターの使用状態に応じて機能の一部を制限するものに適用することができる。
【００９１】
（４）上記のいずれかの実施形態では、設置モードとして、床置きモード及び天吊りモードを例に説明したが、本発明はこれに限定されるものではない。また、上記のいずれかの実施形態は、「床置き」の語句や「天吊り」の語句に限定されるものではなく、同様の趣旨の設置状態を示す語句であってもよい。
【００９２】
（５）上記のいずれかの実施形態では、プロジェクターシステムにおけるプロジェクターを例に説明したが、本発明はこれに限定されるものではなく、一般的な表示装置に適用することができる。このような表示装置として、例えば、液晶ディスプレイ、ＣＲＴ（Cathode Ray Tube）、有機ＥＬ（Electro Luminescence）ディスプレイ等がある。
【００９３】
（６）上記の実施形態における携帯情報機器は、映像出力機能又は音出力機能を有する機器であればよい。また、上記の実施携帯における携帯情報機器は、インターネット等のネットワークに接続する機能を有していてもよい。このような上記の実施形態における携帯情報機器は、携帯電話機、スマートフォン、ＰＤＡ（Personal Data Assistance）、携帯型音楽プレーヤー、電子辞書、電子手帳、ゲーム機、携帯型パーソナルコンピューター等がある。
【００９４】
（７）上記のいずれかの実施形態において、本発明を、プロジェクター、及びプロジェクターの制御方法等として説明したが、本発明はこれに限定されるものではない。例えば、上記のいずれかの実施形態において開示された各種方法や、これらの方法をプログラム、及び該プログラムを記憶したコンピューター読み取り可能な情報記憶媒体等であってもよい。
【符号の説明】
【００９５】
１０，１０ａ，１０ｂ…プロジェクター、  １２…投写レンズ、  １４…ズームリング、
１６…ドックコネクター、  １７…凹部、
１８…機器接続コネクター（外部機器接続部）、  ２０…前面、  ２２…背面、
３０…携帯情報機器（外部機器）、  ３２…画面、  ３４…操作面、  ４０…リモコン、
５０…プロジェクターシステム、  ６０，２５２…ソレノイド、  ６２…可動ピン、
７０…映像入力端子、  ８０…ドックコネクター検出部、
１００，１００ａ，１００ｂ…信号処理部、  １０２…モード設定部、
１０４…ＯＳＤメニュー生成部、  １０６…画像処理部、  １０８…ソレノイド制御部、
１２２…操作部、  １２４…受信部、  １２６…ＲＡＭ、
１２８，１２８ａ，１２８ｂ…ＲＯＭ、  １４０…投写部、  １４２…液晶駆動回路、
１４４…液晶パネル、  １４６…光源、  １６０…音出力部、  ２００…カバー部材、
２０２…カバー部材開閉機構部、２５０…妨害部材、  ＤＲ…引き出し方向、
ＫＲ…接続方向、  ＳＣＲ…スクリーン、  ＴＲ…移動方向
【図１】
2012198397.tif 000003
【図２】
2012198397.tif 000004
【図３】
2012198397.tif 000005
【図４】
2012198397.tif 000006
【図５】
2012198397.tif 000007
【図６】
2012198397.tif 000008
【図７】
2012198397.tif 000009
【図８】
2012198397.tif 000010
【図９】
2012198397.tif 000011
【図１０】
2012198397.tif 000012
【図１１】
2012198397.tif 000013
【図１２】
2012198397.tif 000014
【図１３】
2012198397.tif 000015
【図１４】
2012198397.tif 000016
【図１５】
2012198397.tif 000017
【図１６】
2012198397.tif 000018
【図１７】
2012198397.tif 000019
【図１８】
2012198397.tif 000020
【図１９】
2012198397.tif 000021